(57)【要約】【課題】自由曲面形状の反射面を有する第１および第２の光学素子を位置決めした状態で両者を互いに固定することができる光学ユニットを提供する。【解決手段】光学ユニット２０は、第１プリズム４１と、第２プリズム４２と、絞り開口部４３ａを有する保持部材４３とを備えている。第２プリズム４２の両側部に突起部８０を有する第１の位置決め部７１が形成されている。突起部８０は、絞り開口部４３ａを通る光軸λ３に沿って第１プリズム４１の方向に延びている。保持部材４３の両側部に、突起部８０が挿入される孔８２を有する第２の位置決め部７２が形成されている。第１プリズム４１の両側部に、突起部８０の先端部が挿入される孔８３を有する第３の位置決め部７３が形成されている。プリズム４１，４２の間に保持部材４３が挟まれた状態で、突起部８０が第３の位置決め部７３に固定される。【選択図】図６
2007052358.tif 000002
【特許請求の範囲】
【請求項１】
被写体からの光束を入射する入射面および自由曲面形状の反射面を有する第１の光学素子と、被写体像を結像面に形成するための自由曲面形状の反射面および前記結像面に向けて光束を射出する射出面を有する第２の光学素子と、これら第１および第２の光学素子の間に配置される絞り開口部を有する保持部材とを有し、前記入射面の入射光軸と前記射出面の射出光軸とが前記結像面に沿う方向に離間した光学ユニットであって、
前記第１および第２の光学素子のうちの一方の光学素子の両側部に、他方の光学素子の方向に延びる突起部を有する第１の位置決め部が設けられ、
前記保持部材の両側部に、前記突起部の軸線方向中間部が挿入される孔を有する第２の位置決め部が設けられ、
前記他方の光学素子の両側部に、前記突起部の先端部が挿入される孔を有する第３の位置決め部が設けられ、
前記第１および第２の光学素子の間に前記保持部材を挟みかつ前記突起部を前記第２の位置決め部の孔と第３の位置決め部の孔に挿入した状態で前記突起部が前記第３の位置決め部に固定されたことを特徴とする光学ユニット。
【請求項２】
前記第１および第２の光学素子が第１プリズムと第２プリズムであることを特徴とする請求項１に記載の光学ユニット。
【請求項３】
前記突起部の先端を熱かしめにより変形させることによって、前記突起部が前記第３の位置決め部に固定されたことを特徴とする請求項１に記載の光学ユニット。
【請求項４】
前記突起部が接着剤によって前記第３の位置決め部に固定されたことを特徴とする請求項１に記載の光学ユニット。
【請求項５】
前記保持部材の前記第２の位置決め部の孔の内径が前記第３の位置決め部の孔の内径よりも大きく、前記突起部は、前記第２の位置決め部の孔に挿入されかつこの孔の内径に対応した外径の大径部と、前記第３の位置決め部の孔に挿入されかつこの孔の内径に対応した外径の小径部とを有することを特徴とする請求項１に記載の光学ユニット。
【請求項６】
前記保持部材の前記第２の位置決め部の孔の内径と前記第３の位置決め部の孔の内径が互いに等しく、前記突起部は、これらの孔の内径に対応しかつ外径が軸線方向に一定のストレートな形状であることを特徴とする請求項１に記載の光学ユニット。
【請求項７】
前記光学素子と保持部材とを覆うケースをさらに備えていることを特徴とする請求項１に記載の光学ユニット。
【請求項８】
前記ケースが固定枠と遮光カバーとによって構成され、前記保持部材の取付部が前記遮光カバーに固定されることを特徴とする請求項７に記載の光学ユニット。
【請求項９】
前記ケースが固定枠と遮光カバーとによって構成され、前記保持部材が前記固定枠と一体に成形されていることを特徴とする請求項７に記載の光学ユニット。
【請求項１０】
前記ケースの両側部に前記第１，第２，第３の位置決め部が入り込むことのできる開口部が形成され、該開口部が遮光用の部材によって覆われることを特徴とする請求項７に記載の光学ユニット。
【請求項１１】
前記ケースの両側部に前記第１，第２，第３の位置決め部が入り込むことのできる開口部が形成され、該開口部に充填された接着剤によって前記第１，第２，第３の位置決め部が前記ケースに固定されることを特徴とする請求項７に記載の光学ユニット。
【発明の詳細な説明】
【技術分野】
【０００１】
本発明は、デジタルカメラ、カメラ付携帯電話、携帯端末装置等に使用される撮像装置用の光学ユニットに係り、特に、反射面等に自由曲面を用いた光学ユニットに関する。
【背景技術】
【０００２】
最近のデジタルカメラやカメラ付携帯電話は、小型化、薄型化、高性能化が要求されてきている。これらの機器に共軸系の光学系を使用した撮像装置においては、撮像装置の大きさをコンパクトにしようとすると、レンズの枚数を少なくする必要がある。しかしレンズの枚数を少なくすると光学系で発生する収差を小さく抑えることが困難になり、画質が低下する。また画質を良くしようとすると、レンズの枚数を多くする必要が発生し、この結果、撮像装置が大きくなるという問題が発生する。この問題に対応するための一手段として、偏心光学系を使用した撮像装置が提案されている。例えば、自由曲面等を有するプリズム光学系を使用した撮像光学系を用いる撮像装置が下記の特許文献１〜３に記載されている。
【０００３】
これらの特許文献に記載されている技術の狙いは、プリズムを使用して撮像光学系を形成し、そのプリズムの光入射面や、光射出面、あるいは反射面に自由曲面を使用することによって、コンパクトでかつ画質の良い画像を得ることができる点である。これらの特許文献では、２個プリズム（第１プリズムと第２プリズム）を組合わせ、物体に近い方の第１プリズムの光入射面、反射面、光射出面と、撮像面に近い方の第２プリズムの光入射面、二つの反射面、光射出面等の全てに自由曲面を使用することが記載されている。
【０００４】
このような光学系の特徴としては、  
（１）３面ある反射面に光学的パワーを有する自由曲面を使用しているが、これらの反射面は従来の共軸光学系等のレンズを用いる屈折光学系と比較して、大きな光学的パワーを得ることができると同時に、色収差の影響を受けない。  
（２）前記（１）に記述した理由で光路長の大きい光学系を複数回折曲げることにより、コンパクトな空間内に多数の光学面を有することができる。したがって、限られた空間内に光学要素を凝縮して設定することができる。  
（３）光学性能を高めるには光学系全体の光路長をある程度大きくすることが望まれるが、前記プリズム光学系を採用することにより、従来の共軸光学系と比較して、光路を折曲げることによって光路長を大きくすることができるため、光学性能を高めることができるとともに、全体の大きさをコンパクトにすることができる。
【０００５】
以上の理由から、例えば特許文献１の撮像装置では、コンパクトでありながら、画質を高めることができる。  
【特許文献１】特開２００５−５５７５５公報
【特許文献２】特開２００２−１９６２４３公報
【特許文献３】特開２００３−８４２００公報
【発明の開示】
【発明が解決しようとする課題】
【０００６】
前記従来の撮像装置を小型、薄型のデジタルカメラ、カメラ付携帯電話、または携帯端末装置等に使用するために、自由曲面を有する２個のプリズム（第１プリズムと第２プリズム）を組合わせ、これら第１および第２プリズム間に絞り開口部を有する保持部材を配置することが考えられる。
【０００７】
このような光学ユニットにおいて、第１プリズムと第２プリズムを保持部材に固定するために、例えば第１プリズムを保持部材の一方の面に接着し、第２プリズムを保持部材の他方の面に接着することが考えられる。しかし接着剤が第１および第２プリズムの光学有効面に付着するおそれがあるだけでなく、第１および第２プリズムを保持部材の所定位置に固定するために格別な工夫が必要である。
【０００８】
従って本発明の目的は、自由曲面形状の２個の光学素子を有する光学ユニットにおいて、これら光学素子どうしを比較的簡単な作業により正確な位置に固定することができる光学ユニットを提供することにある。
【課題を解決するための手段】
【０００９】
本発明は、被写体からの光束を入射する入射面および自由曲面形状の反射面を有する第１の光学素子と、被写体像を結像面に形成するための自由曲面形状の反射面および前記結像面に向けて光束を射出する射出面を有する第２の光学素子と、これら第１および第２の光学素子の間に配置される絞り開口部を有する保持部材とを有し、前記入射面の入射光軸と前記射出面の射出光軸とが前記結像面に沿う方向に離間した光学ユニットであって、前記第１および第２の光学素子のうちの一方の光学素子の両側部に、他方の光学素子の方向に延びる突起部を有する第１の位置決め部が設けられ、前記保持部材の両側部に、前記突起部の軸線方向中間部が挿入される孔を有する第２の位置決め部が設けられ、前記他方の光学素子の両側部に、前記突起部の先端部が挿入される孔を有する第３の位置決め部が設けられ、前記第１および第２の光学素子の間に前記保持部材を挟みかつ前記突起部を前記第２の位置決め部の孔と第３の位置決め部の孔に挿入した状態で前記突起部を前記第３の位置決め部に固定されたことを特徴とするものである。前記光学素子は、例えば第１プリズムと第２プリズムである。
【００１０】
本発明の好ましい形態では、前記突起部の先端を熱かしめにより変形させることによって、前記突起部が前記第３の位置決め部に固定される。あるいは、前記突起部が接着剤によって前記第３の位置決め部に固定される。
【００１１】
例えば前記保持部材の前記第２の位置決め部の孔の内径が前記第３の位置決め部の孔の内径よりも大きく、前記突起部は、前記第２の位置決め部の孔に挿入されかつこの孔の内径に対応した外径の大径部と、前記第３の位置決め部の孔に挿入されかつこの孔の内径に対応した外径の小径部とを有している。あるいは、前記保持部材の前記第２の位置決め部の孔の内径と前記第３の位置決め部の孔の内径が互いに等しく、前記突起部は、これらの孔の内径に対応しかつ外径が軸線方向に一定のストレートな形状でもよい。
【００１２】
本発明の好ましい形態では、前記光学素子と保持部材とを覆うケースをさらに備えている。また、前記ケースが固定枠と遮光カバーとによって構成され、前記保持部材の取付部が前記遮光カバーに固定されていてもよい。あるいは、前記保持部材が前記固定枠と一体に成形されていてもよい。
【００１３】
本発明の好ましい形態では、前記ケースの両側部に前記第１，第２，第３の位置決め部が入り込むことのできる開口部が形成され、該開口部が遮光用の部材によって覆われる。あるいは、前記開口部に充填された接着剤によって、前記第１，第２，第３の位置決め部が前記ケースに固定されてもよい。
【発明の効果】
【００１４】
本発明によれば、自由曲面形状の反射面を有する２個の光学素子を備えた光学ユニットにおいて、これら光学素子どうしを互いに位置決めした状態で、絞り開口部を有する保持部材の所定位置に固定することができる。
【発明を実施するための最良の形態】
【００１５】
以下に本発明の第１の実施形態について、図１から図７を参照して説明する。  
図１は撮像用機器の一例としてのデジタルカメラ１の外観を示している。図２は、このデジタルカメラ１の内部全体を示すブロック図である。図１と図２に示されるように、デジタルカメラ１の外装２に、レリーズボタン３と、補助光が必要な時に使用するフラッシュ４と、撮像光入射用のカバーガラス５等が設けられている。さらに外装２の背面に画像モニタ６が設けられている。
【００１６】
画像モニタ６は、操作者が撮影対象物を視認するためのファインダ機能と、撮影画像を操作者に表示する機能を有している。レリーズボタン３とフラッシュ４は、図２のブロック図に示されるＣＰＵ７に接続され、操作者がレリーズボタン３を操作したときに、このデジタルカメラ１による撮影が行われる。
【００１７】
図２に示すように、デジタルカメラ１の内部に、撮像装置１０と、ＬＳＩを用いた処理手段としての画像プロセス処理回路１１と、下記の「適用された記録媒体」としての記録部１２などが収容されている。画像プロセス処理回路１１は、撮像装置１０に取付けられた撮影基板１３に実装されている。
【００１８】
画像プロセス処理回路１１は、撮像装置１０によって得られる電気信号に所定の電気的プロセス処理（例えば色処理、ホワイトバランス、自動露光、出力信号フォーマット化など）を施すことにより、画像データを得る機能を担っている。記録部１２は、画像プロセス処理回路１１からの画像データを、適用された記録媒体に記録するための情報記録媒体の一手段として機能する。ここで「適用された記録媒体」とは、このデジタルカメラ１に内蔵されたフラッシュメモリや、外部から挿脱可能なメモリカード等のことである。
【００１９】
図３は撮像装置１０の外観を示す斜視図、図４は撮像装置１０の内部を示す断面図である。この撮像装置１０は、光学ユニット２０と、前記の画像プロセス処理回路１１と、前記の撮影基板１３などを含んでいる。撮像装置１０は、固定枠２１と、遮光カバー２２と、撮像素子２３と、遮光カバー２２の内部に収容された光学素子であるところの下記の２個のプリズム４１，４２と、下記の絞り開口部４３ａを有する保持部材４３などを含んでいる。
【００２０】
２個のプリズム４１，４２は回転非対称な偏心光学系を構成し、その結像面４４に、物体像を電気信号に変換するためのセンサとしての前記撮像素子２３が配置されている。図４に示すように、遮光カバー２２の入射側の開口部である入射窓２５に、カバーガラス２６が装着されている。
【００２１】
図２および図３に示すように、固定枠２１に取付部２１ａ，２１ｂが設けられている。一例として取付部２１ａ，２１ｂに孔３０が形成され、これらの孔３０に挿入されるねじ部材３１（図２に示す）によって、取付部２１ａ，２１ｂを外装２の内面に固定するようになっている。図４に示されるように、固定枠２１と遮光カバー２２とによって、プリズム４１，４２および保持部材４３を覆うケース３３が構成されている。固定枠２１と遮光カバー２２は、接着剤３４（図４に示す）等の固定手段によって互いに固定されている。このケース３３の内部は、プリズム４１，４２および保持部材４３を収容するための密閉された防塵空間となっている。
【００２２】
固定枠２１の所定位置にプリント基板３５が取付けられている。このプリント基板３５には、光を通過する開口部３６が形成されている。このプリント基板３５に、前記撮像素子２３が接合されている。またこのプリント基板３５に、例えば異方性導電ゴムなどの導電部材３７を介して前記撮影基板１３が固着され、この撮影基板１３に前記画像プロセス処理回路１１が実装されている。プリント基板３５は、図示しない接着剤等によって、固定枠２１に固定されている。前記プリント基板３５に、赤外線カットフィルタまたは防塵用カバーガラス等の光学部材３９が取付けられている。
【００２３】
光学ユニット２０は、後に詳細に説明する光学素子としての第１プリズム４１および第２プリズム４２と、絞り開口部４３ａを有する保持部材４３などを含んでいる。図５は、第１および第２プリズム４１，４２を保持部材４３に組付けた状態の斜視図である。図６は、第１および第２プリズム４１，４２と保持部材４３を分解して示す斜視図である。
【００２４】
図４に示すように、第１プリズム４１は透明な合成樹脂からなり、回転非対称な偏心光学系の入射面５１と、回転非対称な反射面５２と、回転非対称な偏心光学系の射出面５３とを有する回転非対称な偏心光学系プリズムである。第１プリズム４１の入射面５１は、遮光カバー２２の入射窓２５に対向している。反射面５２には、例えばアルミニウム蒸着等によるコーティング層５４が形成されている。この第１プリズム４１は、撮影対象物から集光した光線を、回転非対称な偏心光学面である射出面５３より射出する。
【００２５】
図４に示すように第２プリズム４２も透明な合成樹脂からなり、回転非対称な偏心光学系の入射面６１と、反射面６２と、反射面６３と、射出面６４とを有する偏心プリズムで構成されている。反射面６２と反射面６３のうち少なくとも一つは回転非対称な面であることにより、光学的に非常に高い性能（周辺性能、収差性能）を得ることができる。これら反射面６２，６３に、例えばアルミニウム蒸着等によるコーティング層６５，６６が形成されている。第２プリズム４２の射出側に前記光学部材３９が配置されている。第２プリズム４２から出た光は結像面４４にて結像する。この結像面４４に、撮像素子２３の受光面が配置されている。
【００２６】
すなわち本実施形態の光学ユニット２０は、物体からの光束を入射して結像面４４に物体像を形成するためのものであって、２面以上の自由曲面形状の反射面５２，６２，６３を有している。しかも、物体からの光束を入射するための入射光学作用面の光軸（図４に示す入射光軸λ１）と、射出面６４から結像面４４に光束を射出するための射出光軸λ２とが略平行なプリズム光学系によって構成されている。射出光軸λ２は、撮像素子２３の受光面（結像面４４）に対して垂直である。入射光軸λ１と射出光軸λ２は、互いに撮像素子２３の結像面４４に沿う方向に離間している。
【００２７】
図４と図６に示すように、保持部材４３の光学瞳位置に絞り開口部４３ａが形成されている。この絞り開口部４３ａは、光軸方向の正面から見て円形に形成され、かつ、第１プリズム４１の射出面５３と第２プリズム４２の入射面６１とに干渉しない大きさに形成されている。図４に示すように、絞り開口部４３ａの断面（光軸と直角な方向の断面）は、先が尖ったテーパ状をなしている。
【００２８】
保持部材４３は樹脂成形などによって製作され、遮光カバー２２に固定される取付部７０を有している。この取付部７０を、例えば遮光カバー２２に形成された孔に挿入し、熱かしめ、あるいは接着剤などの固定手段によって、保持部材４３を遮光カバー２２の所定位置に固定するようになっている。この保持部材４３は、第２プリズム４２の射出面６４から出て撮像素子２３に向かう撮影対象物の物体像が、撮像素子２３の結像面４４に正しく結像するように、第１および第２プリズム４１，４２を遮光カバー２２の所定位置に保持する機能を担っている。
【００２９】
光学ユニット２０は、第１プリズム４１の射出面５３の光軸と、第２プリズム４２の入射面６１の光学軸と、保持部材４３の絞り開口部４３ａの光学中心とに要求される組合わせ精度を満足するために、以下に説明する位置決め固定手段を備えている。この位置決め固定手段は、図５〜図７に示すように、第１の位置決め部７１と、第２の位置決め部７２と、第３の位置決め部７３とを備えている。
【００３０】
第１の位置決め部７１は、第１プリズム４１および第２プリズム４２のうちの一方（例えば第２プリズム４２）の両側部（非光学機能面）に形成されている。一対の第１の位置決め部７１のそれぞれに突起部８０が設けられている。これらの突起部８０は例えば円柱状をなし、絞り開口部４３ａを通る光軸λ３（図６に示す）に沿う方向（第１プリズム４１の方向）に延びている。
【００３１】
第２の位置決め部７２は、保持部材４３の両側部に形成されている。一対の第２の位置決め部７２のそれぞれに、断面が円形の孔８２が形成されている。この孔８２は、第２の位置決め部７２を前記光軸λ３に沿う方向に貫通している。この孔８２に、前記突起部８０の軸線方向中間部が挿入される。
【００３２】
第３の位置決め部７３は、第１プリズム４１および第２プリズム４２のうちの他方（例えば第１プリズム４１）の両側部（非光学機能面）に形成されている。一対の第３の位置決め部７３のそれぞれに、断面が円形の孔８３が形成されている。この孔８３は、第３の位置決め部７３を前記光軸λ３に沿う方向に貫通している。この孔８３に、前記突起部８０の先端部が挿入される。
【００３３】
保持部材４３に形成されている第２の位置決め部７２の孔８２の内径は、第３の位置決め部７３の孔８３の内径よりも大きい。突起部８０は、第２の位置決め部７２の孔８２に挿入される大径部８０ａと、第３の位置決め部７３の孔８３に挿入される小径部８０ｂとを有し、いわゆる段付き形状となっている。大径部８０ａの外径は、第２の位置決め部７２の孔８２の内径に対応している。大径部８０ａの軸線方向の長さＬ（図６に示す）は、第２の位置決め部７２の厚みＴと同等以上である。小径部８０ｂの外径は、第３の位置決め部７３の孔８３の内径に対応している。
【００３４】
このように構成された光学ユニット２０は、第１プリズム４１と第２プリズム４２との間に保持部材４３を挟む際に、第１の位置決め部７１に設けられている突起部８０の大径部８０ａを第２の位置決め部７２の孔８２に挿入し、さらに突起部８０の小径部８０ｂを第３の位置決め部７３の孔８３に挿入する。この状態を仮組状態と呼ぶ。大径部８０ａの軸線方向の長さＬが第２の位置決め部７２の厚みＴよりも大きい場合、第１プリズム４１から第２プリズム４２までの距離は、大径部８０ａの軸線方向の長さＬに応じて規制される。
【００３５】
第２プリズム４２が熱可塑性樹脂からなる場合には、前記の仮組状態において、第２プリズム４２の一部である突起部８０の先端部を加熱して軟化させ、突起部８０の先端部に治具を押し当て、図７に示すかしめ部８５のように塑性変形させ、いわゆる熱かしめにより変形させることによって、突起部８０が第３の位置決め部７３に固定される。
【００３６】
こうすることにより、図５および図７に示すように第１プリズム４１と第２プリズム４２を保持部材４３の両側の所定位置に保持することができる。この実施形態では、熱かしめによって突起部８０を第３の位置決め部７３に固定するため、プリズム４１，４２が例えばノルボルネン系樹脂（norbornane）等の難接着性の樹脂からなる場合でも、容易にかつ確実に突起部８０を第３の位置決め部７３に固定することができる。また、接着剤を用いないため、第１プリズム４１の射出面５３や第２プリズム４２の入射面６１などの光学有効面に接着剤が付着するおそれがない。
【００３７】
前記したように第１プリズム４１と第２プリズム４２が保持部材４３の所定位置に保持された状態で、保持部材４３の取付部７０を遮光カバー２２に固定することにより、遮光カバー２２に対する第１および第２プリズム４１，４２の位置が決まるとともに、撮像素子２３との位置も決まる。こうすることにより、第２プリズム４２の射出面６４から撮像素子２３に向かう物体像が、撮像素子２３の結像面４４に正しく結像するように、第１および第２プリズム４１，４２が遮光カバー２２の所定位置に保持される。
【００３８】
なお、突起部８０を第３の位置決め部７３に固定するに当たって、所定の接着力が得られる接着剤を使用できるのであれば、接着剤によって突起部８０を第３の位置決め部７３に固定してもよい。
【００３９】
以下に、上記第１の実施形態の撮像装置１０の作用について説明する。  
図４に示すように、入射光軸λ１に沿って入射窓２５から第１プリズム４１に入射した光束は、第１プリズム４１の反射面６２で反射し、射出面５３から第２プリズム４２の入射面６１に向かう。入射面６１に入射した光は、反射面６２，６３にて反射し、射出光軸λ２に沿って射出面６４から出て、光学部材３９を通り、撮像素子２３の受光面（結像面４４）にて結像する。ここでレリーズボタン３を押すことにより、撮像素子２３の画像データが記録部１２に送られ、記録部１２のメモリに保存される。
【００４０】
図８は本発明の第２の実施形態に係る光学ユニット２０Ａを示している。この光学ユニット２０Ａは、第２の位置決め部７２の孔８２の内径と、第３の位置決め部７３の孔８３の内径が等しい。突起部８０は軸線方向に外径が一定のストレートな形状であり、その外径は、第２の位置決め部７２の孔８２の内径と、第３の位置決め部７３の孔８３の内径に対応している。
【００４１】
このように構成された第２の実施形態の光学ユニット２０Ａは、第１プリズム４１と第２プリズム４２との間に保持部材４３を挟むとともに、突起部８０を第２の位置決め部７２の孔８２と第３の位置決め部７３の孔８３に挿入する。この実施形態は突起部８０の外径が軸線方向に一定であるため、第１プリズム４１から第２プリズム４２までの距離は、第２の位置決め部７２の厚みＴに対応した寸法となる。それ以外の構成と機能は第１の実施形態の光学ユニット２０と同様であるため説明は省略する。
【００４２】
図９は本発明の第３の実施形態に係る光学ユニット２０Ｂを示している。図１０はこの光学ユニット２０Ｂを用いた撮像装置１０Ｂの断面図である。図９に示すように、第２の位置決め部７２の孔８３と、第３の位置決め部７３の孔８３は、側面が解放された形状となっている。
【００４３】
さらにこの光学ユニット２０Ｂは、保持部材４３に対する第１プリズム４１の位置決め精度を高めるために、第１プリズム４１の射出面５３を囲む非光学有効面に、３箇所の半球状の凸部９０（図１０に一部を示す）が形成されている。これらの凸部９０が保持部材４３に当接することにより、保持部材４３に対する第１プリズム４１の傾きと、保持部材４３との間の距離を規制するようになっている。
【００４４】
第２プリズム４１の入射面６１を囲む非光学有効面にも、３箇所の半球状の凸部９１（図９と図１０に示す）が形成されている。これらの凸部９１は、保持部材４３に対する第２プリズム４２の位置決め精度を高めるためのものであり、保持部材４３に当接することにより、保持部材４３に対する第２プリズム４２の傾きと、保持部材４３との間の距離を規制するようになっている。それ以外の構成と機能は第１の実施形態の光学ユニット２０を備えた撮像装置１０（図４）と同様であるため説明を省略する。
【００４５】
図１１から図１３は、本発明の第４の実施形態に係る撮像装置１０Ｃを示している。この撮像装置１０Ｃは、ケース３３を構成する遮光カバー２２の両側壁に開口部１００を形成し、この開口部１００に、第１の位置決め部７１と第２の位置決め部７２と第３の位置決め部７３を入り込ませている。こうすることにより、光学ユニット２０Ｃの両側部に突き出る位置決め部７１，７２，７３がケース３３と干渉することが回避され、ケース３３の内部にプリズム４１，４１と保持部材４３をコンパクトに収納することができる。また、保持部材４３が固定枠２１と一体に成形されている。それ以外の構成と機能は第１の実施形態の光学ユニット２０と同様である。なお、開口部１００を遮光テープ等の遮光用の部材１０１（図１３に２点鎖線で示す）によって覆うことで、ケース３３の内部に外部からの光が入ることを防止するとよい。
【００４６】
図１４と図１５は、本発明の第５の実施形態に係る光学ユニット２０Ｄを用いた撮像装置１０Ｄを示している。この撮像装置１０Ｄは、ケース３３の両側面に形成された開口部１００に遮光性の接着剤１１０を充填することにより、ケース３３の内部に外部からの光が入ることを防止するとともに、各位置決め部７１，７２，７３を遮光カバー２２に固定している。このためプリズム４１，４２をケース３３の所定位置にさらに確実に固定することができる。それ以外の構成と機能は前記撮像装置１０Ｃと同様であるため説明を省略する。
【００４７】
以上説明した各実施形態をはじめとして、この発明を実施するに当たり、光学素子や保持部材、第１〜第３の位置決め部等の発明の構成要素を、この発明の要旨を逸脱しない範囲で種々に変更して実施できることは言うまでもない。また前記の各実施形態では突起部８０を有する第１の位置決め部７１を第２プリズム４２に設けたが、これとは逆に、突起部８０を有する第１の位置決め部７１を第１プリズム４１に設け、第２プリズム４２に孔８３を有する第３の位置決め部７３を設けてもよい。
【図面の簡単な説明】
【００４８】
【図１】本発明の第１の実施形態に係る光学ユニットを備えたデジタルカメラの斜視図。
【図２】図１中のＡ−Ａ線に沿うデジタルカメラの断面図。
【図３】図１に示されたデジタルカメラに使用される撮像装置の斜視図。
【図４】図３中のＦ４−Ｆ４線に沿う撮像装置の断面図。
【図５】図３に示された撮像装置の光学ユニットの一部の斜視図。
【図６】図５に示された光学ユニットの一部の分解斜視図。
【図７】図５中のＦ７−Ｆ７線に沿う光学ユニットの断面図。
【図８】本発明の第２の実施形態に係る光学ユニットの一部の分解斜視図。
【図９】本発明の第３の実施形態に係る光学ユニットの一部の分解斜視図。
【図１０】図９に示された光学ユニットを備えた撮像装置の断面図。
【図１１】本発明の第４の実施形態に係る撮像装置の斜視図。
【図１２】図１１中のＦ１２−Ｆ１２線に沿う撮像装置の断面図。
【図１３】図１１中のＦ１３−Ｆ１３線に沿う撮像装置の断面図。
【図１４】本発明の第５の実施形態に係る撮像装置の斜視図。
【図１５】図１４中のＦ１５−Ｆ１５線に沿う撮像装置の断面図。
【符号の説明】
【００４９】
１０，１０Ｂ，１０Ｃ，１０Ｄ…撮像装置
２０，２０Ａ，２０Ｂ，２０Ｃ，２０Ｄ…光学ユニット
２３…撮像素子
３３…ケース
４１…第１プリズム
４２…第２プリズム
４３…保持部材
４３ａ…絞り開口部
４４…結像面
５２…反射面
５３…射出面
６２，６３…反射面
６４…射出面
７１…第１の位置決め部
７２…第２の位置決め部
７３…第３の位置決め部
８０…突起部
１００…開口部
１１０…接着剤
【図１】
2007052358.tif 000003
【図２】
2007052358.tif 000004
【図３】
2007052358.tif 000005
【図４】
2007052358.tif 000006
【図５】
2007052358.tif 000007
【図６】
2007052358.tif 000008
【図７】
2007052358.tif 000009
【図８】
2007052358.tif 000010
【図９】
2007052358.tif 000011
【図１０】
2007052358.tif 000012
【図１１】
2007052358.tif 000013
【図１２】
2007052358.tif 000014
【図１３】
2007052358.tif 000015
【図１４】
2007052358.tif 000016
【図１５】
2007052358.tif 000017